(57)【要約】  ある方法が、表面被覆積層材料の張付けのための指示を与える。大量の表面被覆層が準備される。その大量の表面被覆積層体のうちの一部分は、第１面と第２面とを有するウェブ材料を含む。第１面は接着剤を含む。第２面は、剥離ライナー材料に剥離可能に接合される。表面被覆積層体の第１の部分の第１面は、標的表面と接触して配設される。第２の部分の第１面は、標的表面に接触して配設される。第１の部分のうちの少なくとも一部分は、トリムピースと標的表面との間に設けられている。剥離ライナーは、表面被覆積層体の第１の部分から除去される。
2009535531.tif 000002
【特許請求の範囲】
【請求項１】
表面を被覆する方法であって、前記表面の一部分は、前記表面に隣接するトリムピースで被覆されており、前記方法は、
ａ）大量の表面被覆積層体を準備するステップであって、その大量の表面被覆積層体のうちの少なくとも一部分は、第１面と第２面とを有するウェブ材料を備えており、前記第１面は接着剤を含み、前記第２面は剥離ライナー材料に剥離可能に接合されている、ステップと、
ｂ）前記積層体の第１の部分を前記表面と前記トリムピースとの間に配設するステップであって、前記第１のピースの第１面は、前記表面に隣接して配設される、ステップと、
ｃ）前記表面被覆積層体の第１の部分の第１面を、被覆すべき表面と接触させて配設するステップと、
ｄ）前記剥離ライナーを前記表面被覆積層体の第１の部分から除去するステップと、
を含むことを特徴とする方法。
【請求項２】
表面を被覆する方法であって、
ａ）大量の表面被覆積層体を準備するステップであって、その積層体のうちの少なくとも一部分は、第１面と第２面とを有するウェブ材料を備えており、前記第１面は接着剤を含み、前記第２面は剥離ライナー材料に剥離可能に接合されている、ステップと、
ｂ）前記表面被覆積層体の第１の部分の第１面を、被覆すべき表面と接触させて配設するステップと、
ｃ）しわになった積層体部分を識別するステップと、
ｄ）前記しわになった積層体部分を除くために、張り付けた積層体を削り落とすステップと、
ｅ）前記削り落とした積層体部分を被覆するように表面被覆積層体の第２の部分を張り付けるステップと、
を含むことを特徴とする方法。
【発明の詳細な説明】
【技術分野】
【０００１】
本発明は、化粧積層体を標的表面に張り付けるための方法に関する。本発明は特に、化粧積層体を標的表面に張り付けるための合掌貼りの方法に関する。本方法は特に、化粧積層体を建築物の表面に張り付けることに関する。
【背景技術】
【０００２】
化粧用の表面被覆は当該技術分野において周知である。壁紙およびドライカラー積層体は、巻取りウェブの形で入手可能であることが一般に知られており、その巻取りウェブは巻き出して、壁、天井、床または他の表面である標的表面に張り付けることができる。接着剤層を、また場合によっては剥離ライナーを備えるドライカラー積層体が既知であるが、広範には使用されていない。また、そのような材料を効率的かつ審美的に張り付けるためのツールおよび方法論は、広範には利用されていない。
【０００３】
ドライペイントおよび他の積層体の張付けには、合掌貼りが有益となることがある。合掌貼りでは、厚さが二重になる領域が各材料部分の間の継ぎ目にないので、より滑らかな仕上げ面が得られる。
【発明の開示】
【課題を解決するための手段】
【０００４】
一態様において、ある方法が、表面被覆材料を標的表面に張り付けるためのステップを提供する。大量の表面被覆層が準備される。その大量の表面被覆層のうちの少なくとも一部分は、第１面と第２面とを有するウェブ材料を備えており、第１面は接着剤を含み、第２面は剥離ライナー材料に剥離可能に接合されている。表面被覆積層体の第１の部分の第１面は、被覆すべき表面と接触して配設されている。第１の部分は、その表面と、その表面に隣接する一片のトリム材料との間に配設されている。剥離ライナーは、表面被覆積層体の第１の部分から除去される。
【発明を実施するための最良の形態】
【０００５】
図に示すように、一実施形態において、表面被覆材料を張り付けるためのキット１００は、第１のアプリケータ１０を備えており、この第１のアプリケータ１０は、表面被覆材料のロールを保持するように、また表面被覆材料を標的表面に張り付けるように適合されている。キット１００はまた、指図書き２０を含んでおり、この指図書き２０は、表面被覆材料の張付け及び第１のアプリケータ１０の使用に関するものである。
【０００６】
第１のアプリケータ１０は、表面被覆材料のロールを保持し、標的表面への材料の貼り付けを可能にする。第１のアプリケータ１０は、限定はしないが、表面被覆材料の各部分を標的表面に張り付けるときに、その各部分の位置合わせ、重ね合わせ、および切断を促進するための機構を含むことが可能である。第１のアプリケータ１０は、特定の幅または特定の幅の範囲内にある幅を有するロールと共に使用するように適合されている。第１のアプリケータ１０は、第１のアプリケータを使用する際に実施すべき一連の作業においてユーザーに指導を与えるための、しるしを含んでいてもよい。そのようなしるしは、視角に依存する図形の形式であってもよく、したがってユーザーは、しるしを見る角度に依存して、特定の使用段階に関連して変化するしるしを視界にとらえることになる。そのような視角に依存する図形により、第１のアプリケータ１０の適切な配置および使用に関連する付加的な情報をユーザーに伝えることが可能となっている。
【０００７】
一実施形態において、第１のアプリケータは、一連の洗練されたドットを含んでおり、そのドットは、第１のアプリケータ１０の使用中に受信した入力に従ってそれぞれのドットを逐次的に照明することにより、第１のアプリケータ１０を適切に使用するようにユーザーを指導する。例示的な第１のアプリケータ１０が、２００４年１０月２６日にスタインハート（Steinhardt）に付与された米国特許第６，８０８，５８６号、および２００５年５月５日に発行された係属中の米国特許公報２００５／００９２４２０に記載されている。
【０００８】
表面被覆材料は、ロールの形式で入手可能でありかつ第１のアプリケータ１０から張り付けるように適合された任意の表面被覆材料を含んでよい。例示的な表面被覆材料には、２００３年７月１７日に発行された同時係属中の米国出願２００３／０１３４１１４Ａ１、２００４年４月２２日に発行された２００４／００７６７８８、２００４年１０月１４日に発行された２００４／０２００５６４、２００４年１２月１６日に発行された２００４／０２５３４２１Ａ１および、２００５年１月６日に発行された２００５／０００３１２９、２００５年９月８日に発行された２００５／０１９６６０７、ならびに２００５年９月２２日に発行されたＷＩＰＯ公報２００５／０８７４９２、２００５年９月２２日に発行された２００５／０８７４９０、２００４年９月２日に発行された２００４／０７４００３、および２００４年９月２日に発行された２００４／０７４００９に開示されているドライペイントが挙げられる。
【０００９】
例示的な指示書き２０は、限定はしないが、標的表面を準備するための方法、表面被覆材料を標的表面に張り付けるための方法、入隅、出隅、および曲面など、標的表面のうちの問題となる領域に材料を張り付けるための方法、電気コンセント、サーモスタット、およびスイッチなどの部材を取り扱うための方法を含んでいる。指示書き２０はまた、表面被覆材料を標的表面に張り付けるためのキット１００に備えられた、いくつかまたはすべての工具の説明およびその工具の使用に関する指示を与えることもできる。
【００１０】
一実施形態において、指示書きの範囲は、「クイックスタート」指示セットが含まれており、その指示セットは、より詳細に指示を精読することなく製品の実際の張り付けにユーザーが迅速に取りかかることが可能となる方式で示される指示の基本的なセットに限定されている。
【００１１】
一実施形態において、消費者が、より高水準な張付け技術を要する指示に従うことによって、より洗練された外観を、表面被覆材料を用いて達成できるように、指示書き２０は、非常に詳細でかつより高度な「専門家レベル」の指示を含んでいる。
【００１２】
一実施形態において、指示書き２０は、表面被覆材料を使用して独自の外観を達成するための方法および助言を含んでいる。例示的な助言には、表面のアクセントとしての材料の使用法、色と模様の異なる材料の組合わせ法、よりカスタマイズした外観を達成するためにステンシルまたはデカールと共に材料を使用する方法、ならびにこれらの方法の組合わせが含まれる。
【００１３】
指示書き２０は、伝えるべき内容の性質に適したいかなる形式であってもよい。例示的な指示書きの形式には、限定はしないが、キット１００の包装の表面上の印刷済みの文および／または画像、キット内容物の使用および表面被覆材料の張り付けにおける、文および／または画像による指示をもたらす印刷済み小冊子、デジタル多用途ディスク、コンパクトディスク、コンパクトフラッシュ（登録商標）メモリ、または当該技術分野において既知の他のディジタル記憶手段などのデジタル記憶媒体が挙げられる。指示書きはまた、ビデオテープなどのアナログの形式で提供してもよい。
【００１４】
指示書き２０は、表面被覆材料の張付けに関連付けられるステップのオーディオおよび／またはビデオ表現を含んでいてもよい。その表現は、個人用オーディオ機器によって再生するのに好適なオーディオフォーマットで提供される、ステップごとの張付け指示を含んでいてもよい。その表現は、聞き手がステップを傾聴し、表現を停止し、工程を実施し、表現を再開するのを可能にするように編成することができる。一実施形態において、その表現は、個人用ＭＰ３プレーヤーによる再生に好適なＭＰ３ファイルとして提供することができる。他の実施形態において、その表現は、当該技術分野において既知であるように、オーディオおよびビデオ再生機器を使用して再視聴可能であってもよい。
【００１５】
一実施形態において、指示書き２０は媒体表現を含んでおり、その媒体表現において、ある方法のステップが説明されており、聞き手がプロセスの説明を受ける。この実施形態において、その表現は、聴覚による手掛かりを含んでおり、その手掛りはプロセスの一部であり、また、特定のステップに関連付けられる手掛りがどのように聞こえるべきかを、聞き手に、より良好に知らせるために、実際の聴覚による手掛りを再現するものである。その表現はまた、その方法のステップにプロセスにおける特定の時点まで従うと、視覚的な観点から生じるはずであるステップの視覚的表現を含んでいてもよい。
【００１６】
例示的な指示書き２０は、オーディオ、ビデオまたはオーディオとビデオの内容を含んだデータファイルを含んでいる。このファイルは、当該技術分野において既知の媒体などの記憶媒体で提供してもよく、またユーザーがアクセスおよび／またはダウンロードするようにネットワークを介して利用可能にしてもよい。このファイルは、コンピュータに記憶したり、他の媒体に転送したり、ＭＰ＃プレーヤーなどのメディアプレーヤーに記憶したりすることができる。ユーザーは、次いでそのファイルを検討することができ、また検討中に指示に従うことができる。このファイルは、指示のステップを提供し、次いでユーザーにそのステップを実施するように促す。このファイルは、ステップの適切な実行に関して、視覚または聴覚による手掛りを提供してユーザーを指導することができる。このファイルは、特定のステップの間に生じているべきことを説明したり示したりすることができる。ユーザーはこのファイルに多数の方式でアクセスすることができる。このファイルは、逐次的にかつ中断することなく検討することができる。このファイルは、材料の導入を続けるために、適当な時点で中断しながら断片的に見ることもできる。ファイルは、特定のステップを再検討のために実行し他のステップを省略して、無秩序な順番で再検討することもできる。この指示は特定の章に分かれていてもよく、各章は、指示書き２０の特定のステップまたは態様に関連するものである。
【００１７】
一実施形態において、指示書き２０は、第１の表面と第２の表面との会合部に形成された入隅に表面被覆材料を張り付けるための方法を含む。この実施形態において、この方法は、第１の表面と第２の表面との会合部の一部分と実質的に平行に、第１の表面上に線を記すステップを含んでいる。この線は、表面被覆材料のロールの幅よりも短い量だけ会合部から離間している。一例として、ある線を壁の上にその壁と第２の壁との会合部に平行に、かつ会合部から約３．５ｃｍだけ離間して記すことができる。表面被覆材料を、約５ｃｍの幅を有する材料のロールから使用して、表面被覆材料の一部分が、線と会合部との間の第１の表面に張り付けられ、表面被覆材料の一縁部が線と整合する。表面被覆材料の一部分が、会合部を越えて第２の表面の一部分を覆い、材料の約１．５ｃｍが会合部を越えて第２の壁に張り付けられる。材料の張付け部分は平滑化されて、第１または第２の壁に張り付けられた部分におけるあらゆるしわまたは閉じ込められた空気が除去される。このプロセスは、壁の会合部全体を覆うまで繰り返すことができる。表面被覆材料のこの部分は、第２の壁に、約０．１ｃｍから約２．５ｃｍの範囲に及ぶ量で張り付けることができる。表面被覆材料の一部分を第１の表面に張り付け、第２の表面の上に重ね合わせた後、表面被覆材料の第２の部分を第２の表面に張り付けることができる。第２の部分は、先に張り付けられた部分と重なり合うように張り付けることができる。第２の部分は、完全に第２の表面に張り付けてもよく、また第１の表面の上に部分的に重なり合うように張り付けてもよい。
【００１８】
一実施形態において、指示書き２０は、表面被覆材料の張付けのための方法を含む。この実施形態において、この方法は、障害物および隅領域が実質的にない標的表面の一部分を選択するステップを含む。表面被覆材料の第１の部分は、標的表面と第２の表面との会合部で張り付けられる。一例であり、また本発明を限定するものではないが、表面被覆材料のロールのトリム幅の１つのセグメントまたは複数のセグメントを使用して、部屋の壁の中央の一部分を、その壁が天井または天井のトリムウッドワークと会合する地点で覆うことができる。トリムを張り付けた後、表面被覆材料の第２の部分が、第１の部分から標的表面にわたって所望の表面被覆終端点まで張り付けられる。この例において、ワイドロールからの材料が、トリム部分と、床、床会合部のウッドワーク、腰長押または表面被覆の他の終端点との間の何らかの重なり合いを伴って張り付けられる。
【００１９】
表面の被覆は、据付者の都合で間隔を置いて進めることができる。壁紙を据え付ける場合に起こりうるように、濡れた縁部はなく、また濡れた縁部を維持する必要性またはウェブ材料が乾燥する前に進む必要性もない。材料の張付けは、部屋の目立たない部分で始める必要はない。代わりに、張付けは、被覆するべき領域のうちの最も開かれた目立つ部分において開始することができる。
【００２０】
一実施形態において、指示書きは、表面被覆材料の隣接部分が、重なり合う継ぎ目を伴うことなく互いに当接するように、表面被覆材料を張り付けるための１つまたは複数の方法を含む。
【００２１】
一実施形態において、この方法は、大量の表面被覆積層材料を準備するステップを含む。その大量の表面被覆積層材料は、手動で、または積層体アプリケータを使用することによって、別々の部分に分離することができる。その表面被覆積層体のうちの少なくとも一部分は、第１面と第２面とを有するウェブ材料を備えており、第１面は接着剤を含み、第２面は剥離ライナー材料にまたは裏張りシート材料に剥離可能に接合されている。表面被覆積層体の第１の部分の第１面は、被覆すべき表面と接触して配設されている。表面被覆積層体の第２の部分の第１面は、被覆すべき表面と接触して配設されており、第２の部分のうちの少なくとも一部は、第１の部分の剥離ライナーのうちの一部と重なり合っている。剥離ライナーは、表面被覆積層材料の第２の部分から除去される。剥離ライナーは、第２の部分のうちの、第１の部分と重なり合う部分と共に、表面被覆積層材料の第１の部分から除去される。これによって、第２の部分が第１の部分に隣接しかつ当接して残される。
【００２２】
裏張りシート材料または剥離ライナーの除去は、接着剤を裏付けした裏張りシートの除去器具の一部分を剥離ライナーの上部の角に当て、下向きに約１５度と７５度との間の角度で表面被覆積層体の長縁部から引くことによって、促進することができる。別の実施形態において、裏張りシートは、約３０度と約６０度の間の角度で長縁部から引くことによって、除去することができる。裏張りシートの除去器具は、表面被覆積層体の各連続部分が標的表面に付着されるときに、それらの部分に付着させることができる。一実施形態において、指示書き２０は、接着剤を裏付けした裏張りシートの除去器具の使用法を表すカードを含んでいる。
【００２３】
除去プロセスに関連付けられる剥離角は約１８０度であると考えられているが、これは、材料が、標的表面に沿って開始点から離れて移動する動作によって引き離されているからである。同時に、材料は、約１５度と約７５度との間の角度で表面被覆材料の長縁部から引っ張られている。
【００２４】
一実施形態において、継ぎ合わせ法は、材料の第２の部分を、材料の第１の部分との重ね合わせ点でバニシングすることを含んでいる。ローラーバニシングツールを重ね合わせ点に沿って通過させることによって材料をバニシングすると、第１の部分の裏張りシートと共に重ね合わせ部分の除去を改善することができる。例示的なバニシングツールが、ノースカロライナ州ステーツビル（Statesville）のスピードボールアートプロダクツ社（Speedball Art Products）から入手可能なＳｐｅｅｄｂａｌｌ  Ｂｒａｙｅｒである。
【００２５】
一実施形態において、この方法は、材料の除去性を改良するために、第１の部分の剥離ライナーの除去に先立って第１の部分の重ね合わせ縁部に沿って工具の縁部を位置合わせすることを含んでいる。
【００２６】
一実施形態において、この方法は、剥離ライナーに固定的に取り付けられかつ積層シートのウェブ材料を越えて延びるプルタブを備える表面被覆積層体の少なくとも第１の部分を設けることを含んでいる。この実施形態において、裏張りシートの除去器具を少なくとも１つの部分に当てる必要はない。
【００２７】
一実施形態において、この方法は、剥離ライナーがウェブ材料と同一かそれ以上の広がりを有する表面被覆積層体部分を設けることを含んでいる。この実施形態において、余分な剥離ライナーを使用して、全体としての剥離ライナーの除去を開始することができ、付加的な裏張りシートの除去器具は不要である。
【００２８】
一実施形態において、この方法は、少なくとも１つの大量の表面被覆積層材料を準備することを含んでおり、その表面被覆積層材料は、それ自体の周りに巻かれており、被覆すべき表面の寸法に従って決まる長さを有している。この実施形態において、表面被覆積層体は、標的表面の寸法に従って準備され、したがって、材料の各ロールは、単一幅の領域を縁部から縁部まで被覆するように寸法決めされる。
【００２９】
一実施形態において、この方法は、剥離ライナーが材料の少なくとも１つの縁部に平行に配設されたしるしを含む表面被覆積層体を準備することを含む。この実施形態において、剥離ライナーは、最適な重ね合わせ部分を達成するには後続部分をどこに配置するべきかについて据付者を指導するために、しるしを印刷するか、エンボス加工するか、ないしは別の方法で記すことができる。このしるしは、連続する線であっても分断した線であってもよい。このしるしは、被覆アプリケータを用いてまたは用いずに、後続部分を位置合わせするのを支援することができる。この材料は、いずれかの縁部に沿って張り付けられる後続部分に対する重ね合わせ点を示すために、単一の縁部または各縁部に沿ってしるしを含むことができる。
【００３０】
一実施形態において、この方法は、大量の表面被覆積層材料を準備するステップを含む。その大量の表面被覆積層材料は、手動で、または積層体アプリケータを使用することによって、別々の部分に分離することができる。その表面被覆層のうちの少なくとも一部分は、第１面と第２面とを有するウェブ材料を備えており、第１面は接着剤を含み、第２面は剥離ライナー材料または裏張りシート材料に剥離可能に接合されている。表面被覆積層体の第１の部分の第１面は、被覆すべき表面と接触して配設されている。表面被覆積層体の第２の部分の第１面は、被覆すべき表面と接触して配設されており、第２の部分のうちの少なくとも一部は、第１の部分の剥離ライナーのうちの一部と重なり合っている。剥離ライナーは、第２の部分のうちの、第２の部分の剥離ライナーを含めた第１の部分と重なり合う部分と共に、表面被覆積層材料の第１の部分から除去される。これによって、第２の部分が第１の部分に隣接しかつ当接して残される。所望により、第２の部分に対する剥離ライナーは、重ね合わせ線に沿って刻み目を付けて、除去プロセスの間のその点におけるライナーの剪断を促進することができる。
【００３１】
裏張りシート材料または剥離ライナーの除去は、接着剤を裏付けした裏張りシートの除去器具の一部分を剥離ライナーの上部の角に当て、下向きに約１５度と７５度との間の角度で表面被覆積層体の長縁部から引くことによって、促進することができる。別の実施形態において、裏張りシートは、約３０度と約６０度との間の角度で長縁部から引くことによって、除去することができる。裏張りシートの除去器具は、表面被覆積層体の各連続部分が標的表面に付着されるときに、それらの部分に付着させることができる。一実施形態において、指示書き２０は、接着剤を裏付けした裏張りシートの除去器具の使用法を表すカードを含む。
【００３２】
除去プロセスに関連付けられる剥離角は約１８０度であると考えられているが、これは、材料が、標的表面に沿って開始点から離れて移動する動作によって引き離されているからである。同時に、材料は、約１５度と約７５度との間の角度で表面被覆材料の長縁部から引っ張られている。
【００３３】
一実施形態において、継ぎ合わせ法は、材料の第２の部分を、材料の第１の部分との重ね合わせ点でバニシングすることを含む。ローラーバニシングツールを重ね合わせ点に沿って通過させることによって材料をバニシングすると、第１の部分の裏張りシートと共に重ね合わせ部分の除去を改善することができる。例示的なバニシングツールが、ノースカロライナ州ステーツビル（Statesville）のスピードボールアートプロダクツ社（Speedball Art Products）から入手可能なＳｐｅｅｄｂａｌｌ  Ｂｒａｙｅｒである。
【００３４】
一実施形態において、この方法は、重ね合わせ点に沿った材料の除去性を改良するために、第１の部分の剥離ライナーの除去に先立って、第１の部分の重ね合わせ縁部に沿って工具の縁部を位置合わせすることを含む。
【００３５】
一実施形態において、この方法は、剥離ライナーに固定的に取り付けられかつ積層部分のウェブ材料を越えて延びるプルタブを備える表面被覆積層体の少なくとも第１の部分を設けることを含んでいる。この実施形態において、裏張りシートの除去器具を少なくとも１つの部分に当てる必要はない。
【００３６】
一実施形態において、この方法は、剥離ライナーがウェブ材料と同一のそれ以上の広がりを有する表面被覆積層材料を準備することを含む。この実施形態において、余分な剥離ライナーを使用して、全体としての剥離ライナーの除去を開始することができ、付加的な裏張りシートの除去器具は不要である。
【００３７】
一実施形態において、この指示書きは、裏張りシートを組み込んでいない表面被覆材料を張り付けるための、またこの材料の隣接する部分の間の合掌貼りを達成するための方法を含む。この実施形態は、折畳みボードを組み込んだアプリケータを使用して材料の第１の部分を張り付けるステップを含んでいる。この折畳みボードアプリケータは、張り付けの間に材料の一縁部を折り返し、したがって、所定量の材料が標的表面に接着されず、その代わりに表面から離れて折られる。材料の第２の部分が次いで張り付けられて、第１の材料の部分の折られた部分と重なり合う。重なり合う部分は次いで、標的表面との会合部でバニシングされ、鋭利な工具の補助を用いてまたは用いずに除去される。
【００３８】
また、折畳みボードアプリケータを利用して表面被覆材料を張り付ける方法は、剥離ライナーを含む表面被覆材料で実施することもできる。表面被覆材料の第２の部分の剥離ライナーは、剥離ライナーを材料の第１の部分から除去するのに先立って、重なり合った折り目線に沿って刻み目を付けることができる。
【００３９】
一実施形態において、この方法は、ライナーのない表面被覆材料を準備するステップと、その材料の第１の部分を標的表面に張り付けるステップとを含む。次いで、第１の材料の部分のうちの、張り付けた部分の一縁部に実質的に平行な部分が、縁部ツールを使用してまたは接着性縁部被覆工具を用いて被覆される。次いで、第２の材料の部分が、その縁部ツールまたは接着性縁部被覆工具と重なり合う標的表面に張り付けられる。次いで、このツールまたは接着性工具は、第２の材料の部分のうちの重なり合った部分と共に除去される。
【００４０】
一実施形態において、この方法は、少なくとも１つの大量の表面被覆積層材料を準備することを含んでおり、その表面被覆積層材料は、それ自体の周りに実質的に円筒形の形式で巻かれており、被覆すべき表面の寸法に従って決定される長さを有する。この実施形態において、表面被覆積層体は、標的表面の寸法に従って準備され、したがって、材料の各ロールは、単一幅の領域を縁部から縁部まで被覆するように寸法決めされる。任意の特定のロールにおける材料の幅は、据付者が自身の要求に適するように材料の端部を整えることができるように、実際の標的表面の部分よりも長くてもよい。
【００４１】
一実施形態において、この方法は、剥離ライナーが材料の少なくとも１つの縁部に平行に配設されたしるしを含む表面被覆積層体を準備することを含む。この実施形態において、剥離ライナーは、最適な重ね合わせ部分を達成するには後続部分をどこに配置するべきかについて据付者を指導するために、しるしを印刷するか、エンボス加工するか、ないしは別の方法で記すことができる。このしるしは、連続する線であっても分断した線であってもよい。このしるしは、被覆アプリケータを用いてまたは用いずに、後続部分を位置合わせするのを支援することができる。この材料は、いずれかの縁部に沿って張り付けられる後続部分に対する重ね合わせ点を示すために、単一の縁部または各縁部に沿ってしるしを含むことができる。
【００４２】
一実施形態において、この方法は、表面を被覆するための指示を含んでいる。表面の一部分が、その表面に隣接するトリムピースで被覆されている。大量の表面被覆積層体を設けることができる。その大量の表面被覆積層体のうちの少なくとも一部分は、第１面と第２面とを有するウェブ材料を含む。第１面は接着剤を含んでおり、第２面は、剥離ライナー材料に剥離可能に接合されている。積層体の第１の部分は、表面とトリムピースとの間に配設することができ、第１のピースの第１面は、表面に隣接して配設される。表面被覆積層体の第１の部分の第１面は、被覆すべき表面と接触して配設することができる。剥離ライナーは、表面被覆積層体の第１の部分から除去することができる。
【００４３】
積層体の張付けの間、積層体の各部分は、それ自体で接着して、積層体表面にしわを生じることがある。また、このしわを除去するための方法も提供することができる。しわになった部分を識別した後、表面が滑らかになるまで各部分を研磨することができ、次いで付加的な積層体部分を使用して、研磨の形跡を被覆することができる。表面を削り落とす例示的な手段には、限定はしないが、紙やすり、バニッシャー、スクレーパー、およびそれらの組合わせが挙げられる。
【００４４】
一実施形態において、指示書き２０は、張り付けた積層体の上を装飾することに関する指針を含んでもよい。積層体は、下塗剤の膜で被覆し、続いて表面の凹凸または継ぎ目に関して観察することができる。そのような継ぎ目および凹凸を研磨し、付加的な表面被覆材料を張り付けるのに先立って、表面の平滑度を増加させることができる。光源を使用し、光が被覆表面の上に斜角で入射するように光源の位置を調節することによって、継ぎ目および他の凹凸の位置を突き止めることができる。継ぎ目および凹凸の視認性を増加させるために、下塗の塗布に先立って、またはその後に、光源を使用することができる。その入射光は、継ぎ目および凹凸の箇所で陰影を投げることによって、継ぎ目および凹凸をより認識できるものにすることができる。
【００４５】
また、付加的な指示の供給源に関する情報をキット１００の一部として提供することができる。例示的な付加的な供給源には、限定はしないが、電話番号、インターネットウェブサイト、メールアドレス、および付加的な指示媒体のオーダーフォームが挙げられる。提供するインターネットでの供給源は、コンテンツへのアクセスを含むことができ、そのコンテンツは次に、後に記憶し再生するために、または印刷して張り付けプロセスの間に用いるために、ユーザーによってダウンロードすることができる。
【００４６】
一実施形態において、このキットは、実際の据付の一部または全部を支援するために、専門家の据付者のサービスへのアクセスに関する指針を提供する。この実施形態において、表面被覆材料を自身で据え付けるのを控えることを選んだ消費者は、専門家の据付者に据付を実施させることが可能であるかどうかを容易に調査することができる。
【００４７】
一実施形態において、キット１００はまた、参照カード２５を含む。参照カード２５は、張り付けの指示の凝縮版を含んでおり、また、据付者が表面被覆張付けを続行する間、参照カード２５を近辺に保つことができるように、ランヤード、クリップ、または他の取付け手段を含むことができる。参照カード２５は、据付プロセスのステップに関する一組みのキーワード、または張付けステップに関連付けられる一組みの図形イメージを含むことができる。参照カード２５は、任意の特定の工具を適切な順序で使用するにおいてユーザーに指導を与えるために、キット内に備えられた張付け工具の中に組み込まれたしるしについて言及していてもよい。参照カード２５は、張付け方法のステップにおいてユーザーを促すための文と図形の組合わせを含んでいてもよい。
【００４８】
一実施形態において、キット１００は、表面被覆材料の第２のロールを保持し標的表面に張り付けるのを促進するように適合された第２のアプリケータ３０をさらに備えている。第２のアプリケータ３０は、第１のアプリケータ１０に関連付けられるロールの幅または幅の範囲とは相当に幅の異なる表面被覆材料のロールを張り付ける際に使用するように適合されている。例示的な第２のアプリケータは、表面被覆材料のトリムロールの張付けのために適合されている。トリムロールは、第１のアプリケータ１０と関連付けられるロールと比較すると、相対的に幅の狭いものである。一例として、第１のアプリケータと共に使用するように構成されたロールは、約２５ｃｍから約３５ｃｍの範囲内の幅を有することができる。対称的に、第２のアプリケータと共に使用するように構成されたロールは、約４ｃｍから約８ｃｍの幅を有することができる。
【００４９】
別の実施形態において、第２のアプリケータはディスペンサとして働き、標的表面への手動での張付けのために、比較的幅の狭いロールの各部分を分配するのを支援する。
【００５０】
一実施形態において、表面被覆材料は剥離ライナーを含むことができ、第２のアプリケータまたはディスペンサ３０は、表面被覆材料の剥離ライナーを材料の残りから分離するための手段を含むことができる。この手段は、剥離ライナーがタブの一方の側面上に、材料の残りがタブの他方の側面上に配置された状態で、表面被覆材料を追い出すことを可能にするように構成された、１つのタブまたは一連のタブを含むことができる。この構成では、表面被覆材料が第２のアプリケータ３０から分配されるときの剥離ライナーの分離を容易にすることができる。
【００５１】
一実施形態において、指示書き２０は、表面被覆材料のトリムロールの接着剤部分をロールの剥離ライナーから分離するのを促進するためのステップを含むことができる。このステップは、ロールの一部分をディスペンサまたは第２のアプリケータ３０から追い出し、その部分をセパレータタブの下に通すことを含むことができる。裏張りシートの除去工具の一部分は、タブ縁部に沿ってかつタブの上流側で材料に取り付けることを含めて、材料の接着剤部分に接着剤によって取り付けることができる。付加的な材料を後にディスペンサから除去することで、結果として、接着剤部分が裏張りシート材料からタブ縁部に沿って分離することになりうる。
【００５２】
一実施形態において、指示書き２０は、表面被覆材料のトリムロールの接着剤部分をロールの剥離ライナーから分離するための指示書きであり、トリムロールをトリムロールディスペンサ３０の中に装填するステップと、トリム材料のロールの自由端部の付近に横方向に張り付けられたスタータ材料のストリップを準備するステップと、トリムロールの自由端部をスタータ材料の上に折り返すステップと、折り返したトリムロール材料の剥離ライナー部分から接着剤部分を分離するステップと、ディスペンサ３０のセパレータタブが剥離ライナーと接着剤部分との間にあるように、トリムロール材料をディスペンサの中に通すステップと、を含むことができる。トリムロール材料はその後に分配することができ、材料の一縁部に沿って接着剤部分と剥離ライナーとが分離する。
【００５３】
第２のアプリケータ３０は、分配の間に剥離ライナーを適切に分離するために、ユーザーが材料９０のロールを第２のアプリケータに装填することを可能にするための視覚的な手掛りを含むことができる。指示書き２０は、第２のアプリケータ３０の適切な装填のための、また表面被覆材料の全体的な張付けにおける第２のアプリケータ３０の使用のための方法を含むことができる。
【００５４】
一実施形態において、キット１００は指示カード２７を含んでおり、この指示カード２７は、剥離ライナー材料をトリムロールの積層材料の接着剤部分から分離することに関する指示を与えるものである。キット１００は、１つ以上の縁部復元カード２９を含むことができ、この縁部復元カード２９は、積層材料のトリムロールの残りの部分からの剥離ライナーの分離を復元するのを支援するように適合されている。
【００５５】
キット１００は、張付け改良工具４０をさらに含むことができ、この張付け改善工具４０は、標的表面への表面被覆材料の張付けの改良を促進するように適合されている。この張付け改良工具は、把持表面と１つ以上の平滑化縁部とを有する平滑化ツールを含むことができ、その把持表面と１つ以上の平滑化縁部は、先に標的表面に張り付けられた表面被覆材料の各部分からのしわおよび／または気泡の除去を促進するように適合されている。
【００５６】
一実施形態において、張付け改良工具４０は、１つ以上の整合穴を備えており、その整合穴をけがき工具５０と共に使用すると、隅角部などの問題となる領域における表面被覆材料の張付けを容易にすることができる。この実施形態において、指示書き２０は、表面被覆材料を問題のある領域に張り付ける際に張付け改良工具４０をけがき工具５０と共に使用するための方法を提供することができる。
【００５７】
キット１００は、けがき工具５０をさらに含むことができる。例示的なけがき工具には、限定はしないが、突き錐、ペン、およびペンシルが挙げられる。けがき工具５０は、標的表面の上に線をけがく上で張付け改良工具４０と協働的に機能して表面被覆材料の張付けを容易にするように構成することができる。
【００５８】
一実施形態において、表面被覆材料は、剥離ライナーまたは裏張りシート材料を含んでいる。この実施形態において、キット１００は、大量の裏張りシート除去工具６０を含むことができる。裏張りシート除去工具６０は、裏張りシート材料に接着剤で付着するように適合されている。そのような付着により、表面被覆材料および裏張りシートが標的表面に張り付けられた後、裏張りシート材料を表面被覆材料の残部から分離することが可能となる。裏張りシート除去工具６０は、別個の部分の形式で、または裏張りシート材料の除去材料のロールの形式で提供することができる。ディスペンサ６５は、裏張りシート除去工具６０のロールを別個の部分に分離するのを容易にするために提供することができる。指示書き２０は、裏張りシート除去工具６０を表面被覆材料の張付けの間に効率的に使用するためのステップを含むことができる。
【００５９】
一実施形態において、キット１００は、往復式の接着剤裏張りシート除去ツールを備えている。このツールは、後退位置から露出位置に移動させうる接着剤表面を備えている。後退位置においては、接着剤表面と他の任意の表面とが偶発的に接触する可能性が、相当に減じられる。この実施形態において、このツールは、表面被覆材料の張付け部分の裏張りシートに隣接して配置され、接着剤表面は、接着剤が裏張りシートと接触するように、露出位置に移動される。次いで、接着剤は後退位置に移動されて、裏張りシートの少なくとも一部分を表面被覆材料の残りから引き離す。
【００６０】
キット１００は、少なくとも１つの清浄工具７０をさらに備えていてもよく、その清浄工具７０は、第１のアプリケータ１０の少なくとも一部分を清浄にして、最適なアプリケータ性能を維持したり回復したりするように適合されている。第１のアプリケータ１０を使用した表面被覆材料の張付けは、塵、屑または他の物質が第１のアプリケータ１０の一部分または各部分に集積すると、時間と共に劣化することがある。第１のアプリケータ１０の性能における低下は、表面被覆材料の品質に起因していることがあり、また表面被覆材料と関連付けられる総括的な消費者体感性に悪影響を及ぼし得る。最適なアプリケータ機能の維持および回復には、第１のアプリケータ１０のうちの、影響を受けた１つまたは複数の部分を清浄にして、堆積した材料を除去することが必要となり得る。適当な清浄工具を設けることで、アプリケータの清浄化を促し、第１のアプリケータを最適レベルに近い性能レベルに維持することが容易にでき、それによって、表面被覆材料の張付けに関連付けられる消費者体験度が向上する。例示的な清浄工具７０は、限定はしないが、当該技術分野において既知の個別パッケージのアルコール拭き取り用品、および多孔質の先端を有するアルコールペンが挙げられる。このアルコール拭き取り用品またはペンは、アプリケータ１０の性能を最適またはほとんど最適に回復させるために使用することができる。
【００６１】
キット１００は、カートン８０をさらに備えていてもよく、このカートン８０は、キット１００の構成要素工具のすべてを保持するように適合されている。カートン８０は、簡潔な容器であってもよく、また、他のキット１００の工具を緩い方式で保持することができる。一実施形態において、カートン８０は区分化されて、注文通りの区画を備え、各区画は、特定のキットの工具を保持するように構成されている。一例として、カートン８０は、第１のアプリケータ２０、指示用のデジタル多用途ディスク２０、指示用の小冊子２０、第２のアプリケータ３０、張付け改良工具４０、けがき工具５０、大量の裏張りシート除去材料６０、裏張りシート除去材料用ディスペンサ６５、参照カード２５、特定の張付け技法を説明したアイデアブック（Idea Books）のそれぞれに対する注文通りの区画を有することができる。カートン８０は、付加的な空間を含むことができ、その空間は、第１のアプリケータ１０または第２のアプリケータ３０と共に使用するように構成された表面被覆材料の１つ以上のロール９０を格納するように構成されている。カートン８０は、付加的な指示用材料のための格納空間を含むことが可能である。一実施形態において、キット１００は、表面被覆材料の１つ以上のロール９０を含むことができる。一実施形態において、カートン８０は、すべてのキット１００の構成要素を提示し、それらの構成要素にアクセスするために展開することができ、また、その後に折り畳んですべての構成要素を格納することができる。
【００６２】
「発明を実施するための最良の形態」で引用した全ての文書は、関連部分において参照によって本願に援用されるが、いずれの文書の引用も、それが本発明に対する先行技術であることを認めるものとして解釈されるべきではない。この文書における用語のいずれかの意味または定義が、参照によって援用される文書における用語のいずれかの意味または定義と対立する程度まで、本文書においてその用語に与えられた意味又は定義を優先するものとする。
【００６３】
本発明の特定の実施形態について説明し記載したが、種々の他の変更および修正が、本発明の趣旨および範疇から逸脱することなくなされうることが、当業者には明らかとなろう。したがって、本発明の範疇にあるそのようなすべての変更および修正は、添付の特許請求の範囲で網羅することとする。
【００６４】
この特許請求の範囲は特に、本発明の主題を具体的に示しかつ明確に主張するものであるが、本発明については、添付の図面と共に行う本発明の詳細な説明を考慮すると、より理解されると考えられる。添付の図面において、複数の図の対応する機能は、同様に指定されている。
【図面の簡単な説明】
【００６５】
【図１】本発明の一実施形態によるキットの斜視図を概略的に示す。
【図１】
2009535531.tif 000003
【国際調査報告】
2009535531.tif 000004
2009535531.tif 000005
2009535531.tif 000006
2009535531.tif 000007